(57)【要約】【課題】各種原水を自然環境にならって自然浄化方式で効率よく浄化させ清澄化することができる浄水場等の水質浄化方法を提供することを目的とする。【解決手段】浄水場等の水質浄化方法において、浄水場への取水用の貯水池やダム等の水中あるいは水面に、トルマリン鉱石、花崗岩、滑石等の窯土類の岩石を投入あるいは浮遊状態に設置する取水前浄化工程と、貯水池やダム等の水を浄水場に取水する取水口に、コンクリートやモルタル等にマイナスイオンおよび遠赤効果のあるトルマリン鉱石、花崗岩、滑石等の砕石や粉末等を混合成形した堰を設置する堰浄化工程と、貯水池やダム等の水を浄水場に取水する着水井に、トルマリン鉱石、花崗岩、滑石等の窯土類の岩石を投入あるいは浮遊状態に設置する着水井浄化工程と、浄水場のろ過池のろ過層に、トルマリンの粒度粉粒を混合させてろ過するろ過工程と、浄水場の浄水池や配水池に、トルマリン玉石加工を施した石を設置する石設置工程とで浄水場等の水質浄化方法を構成する。【選択図】図１
2009045607.tif 000002
【特許請求の範囲】
【請求項１】
浄水場等の水質浄化方法において、浄水場への取水用の貯水池やダム等の水中あるいは水面に、トルマリン鉱石、花崗岩、滑石等の窯土類の岩石を投入あるいは浮遊状態に設置する取水前浄化工程と、貯水池やダム等の水を浄水場に取水する取水口に、コンクリートやモルタル等にマイナスイオンおよび遠赤効果のあるトルマリン鉱石、花崗岩、滑石等の砕石や粉末等を混合成形した堰を設置する堰浄化工程と、貯水池やダム等の水を浄水場に取水する着水井に、トルマリン鉱石、花崗岩、滑石等の窯土類の岩石を投入あるいは浮遊状態に設置する着水井浄化工程と、浄水場のろ過池のろ過層に、トルマリンの粒度粉粒を混合させてろ過するろ過工程と、浄水場の浄水池や配水池に、トルマリン玉石加工を施した石を設置する石設置工程とを備えることを特徴とする河川、汚濁水等の原水を清澄化する浄水場等の水質浄化方法。
【請求項２】
浄水場等の水質浄化方法において、浄水場への取水用の貯水池やダム等の水中あるいは水面に、トルマリン鉱石、花崗岩、滑石等の窯土類の岩石を投入あるいは浮遊状態に設置する取水前浄化工程と、貯水池やダム等の水を浄水場に取水する取水口に、コンクリートやモルタル等にマイナスイオンおよび遠赤効果のあるトルマリン鉱石、花崗岩、滑石等の砕石や粉末等を混合成形した堰を設置する堰浄化工程と、浄水場のろ過池のろ過層に、トルマリンの粒度粉粒を混合させてろ過するろ過工程と、浄水場の浄水池や配水池に、トルマリン玉石加工を施した石を設置する石設置工程とを備えることを特徴とする河川、汚濁水等の原水を清澄化する浄水場等の水質浄化方法。
【請求項３】
浄水場等の水質浄化方法において、浄水場への取水用の貯水池やダム等の水中あるいは水面に、トルマリン鉱石、花崗岩、滑石等の窯土類の岩石を投入あるいは浮遊状態に設置する取水前浄化工程と、貯水池やダム等の水を浄水場に取水する着水井に、トルマリン鉱石、花崗岩、滑石等の窯土類の岩石を投入あるいは浮遊状態に設置する着水井浄化工程と、浄水場のろ過池のろ過層に、トルマリンの粒度粉粒を混合させてろ過するろ過工程と、浄水場の浄水池や配水池に、トルマリン玉石加工を施した石を設置する石設置工程とを備えることを特徴とする河川、汚濁水等の原水を清澄化する浄水場等の水質浄化方法。
【請求項４】
前記トルマリン鉱石、花崗岩、滑石等の窯土類の岩石は、マイナスイオンおよび４〜１４ミクロンの遠赤外線放射物質であることを特徴とする請求項１、２あるいは３のいずれかに記載の浄水場等の水質浄化方法。
【請求項５】
前記取水前浄化工程、堰浄化工程、着水井浄化工程、ろ過工程、石浄化工程を浄水場の設計や構造に応じて選択的に備えることを特徴とする請求項１、２あるいは３のいずれかに記載の浄水場等の水質浄化方法。
【発明の詳細な説明】
【技術分野】
【０００１】  本発明は、河川、汚濁水等の原水を清澄化する浄水場等の水質浄化方法に関する。
【背景技術】
【０００２】  従来、水道水を調整するために河川等から取水した水を種々の水質浄化装置や方法で処理していた。従来の浄水場の上水道調達の場合、河川から上水道とするためには、一般的に取水口より取水した水を取水庭に取り入れ、これを沈砂池に導入し、原水ポンプ所を経て着水井から、急速・緩速攪拌槽で無機凝集剤を注入してフロック形成させ、沈殿池で固・液沈降分離を行う、沈殿物は排泥調整池に移送し、上澄水は、中塩素混和池で塩素、アルカリを注入して処理し、ろ過池でろ過した後、後塩素混和池において再度塩素、アリカリを注入して処理後、浄水池に送り、上水道として供給される。活性炭やオゾンを使用される場合もある。
また、例えば原水汚濁によっては、活性炭を加えた後、凝集沈殿、ろ過後の、処理水の還元電位を＋４００ｍＶ以下にすることや残留アルミ濃度を０．０５ｍｇ／ｌ以下等にしていた。
現実問題として、産業の高度発展にともない、環境破壊は益々悪化の一途をたどり、大気汚染、水質汚染は今や危機的状況に突入している。
特に、我々の生命活動に必要不可欠な水も例外ではなく、水道水も今や行政サイドでもお手上げ状態である。例えば、塩素の過剰投入による弊害で、有害発ガン物質のトリハロメタン生成等の問題が社会問題にまで発展し、消費者も水道水をそのまま飲料水とするには不安と恐怖感があるところから、自己防衛として、様々な浄水器や装置を取り付けたり、デパートやコンビニエンスストア、スーパーマーケット等で販売している水を購入したりして、日夜苦心しているという欠点があった。
【発明の開示】
【発明が解決しようとする課題】
【０００３】  本発明は以上のような従来の欠点に鑑み、各種原水を自然環境にならって自然浄化方式で効率よく浄化させ清澄化することができる浄水場等の水質浄化方法を提供することを目的とする。【０００４】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】  上記目的を達成するために、本発明は、浄水場等の水質浄化方法において、浄水場への取水用の貯水池やダム等の水中あるいは水面に、トルマリン鉱石、花崗岩、滑石等の窯土類の岩石を投入あるいは浮遊状態に設置する取水前浄化工程と、貯水池やダム等の水を浄水場に取水する取水口に、コンクリートやモルタル等にマイナスイオンおよび遠赤効果のあるトルマリン鉱石、花崗岩、滑石等の砕石や粉末等を混合成形した堰を設置する堰浄化工程と、浄水場のろ過池のろ過層に、トルマリンの粒度粉粒を混合させてろ過するろ過工程と、浄水場の浄水池や配水池に、トルマリン玉石加工を施した石を設置する石設置工程とで浄水場等の水質浄化方法を構成している。
【発明の効果】
【０００６】  以上の説明から明らかなように、本発明にあっては次に列挙する効果が得られる。【０００７】  （１）浄水場等の水質浄化方法において、浄水場への取水用の貯水池やダム等の水中あるいは水面に、トルマリン鉱石、花崗岩、滑石等の窯土類の岩石を投入あるいは浮遊状態に設置する取水前浄化工程と、貯水池やダム等の水を浄水場に取水する取水口に、コンクリートやモルタル等にマイナスイオンおよび遠赤効果のあるトルマリン鉱石、花崗岩、滑石等の砕石や粉末等を混合成形した堰を設置する堰浄化工程と、浄水場のろ過池のろ過層に、トルマリンの粒度粉粒を混合させてろ過するろ過工程と、浄水場の浄水池や配水池に、トルマリン玉石加工を施した石を設置する石設置工程とで構成しているので、浄水場取水用の貯水池やダムの原水を自然環境が自然に水を浄化し、安全で美味な天然自然水を供給するシステムを大規模に人工的に造りだし、トルマリン、花崗岩、滑石等の窯土類の岩石の特性を最大限に発揮させるべく、トルマリン、花崗岩、滑石等の窯土類の岩石と水の分子を細分化し、水のｐＨ値を弱アルカリの７．５弱に安定させ、過剰投入による残留塩をはじめとして、各種有害な重金属等も吸着固定し、無害化することができる。【０００８】  （２）前記（１）によって、浄水場への取水用の貯水池やダム等の水中あるいは水面に、トルマリン鉱石、花崗岩、滑石等の窯土類の岩石を投入あるいは浮遊状態に設置する取水前浄化工程を用いて、窯土類の岩石を投入あるいは浮遊状態に設置するだけで原水を浄化処理することができるので、過大なコストをかけることなく効率よく清澄化することができる。【０００９】  （３）前記（１）によって、貯水池やダム等の水を浄水場に取水する取水口に、コンクリートやモルタル等にマイナスイオンおよび遠赤効果のあるトルマリン鉱石、花崗岩、滑石等の砕石や粉末等を混合成形した堰を設置する堰浄化工程と、浄水場のろ過池のろ過層に、トルマリンの粒度粉粒を混合させてろ過するろ過工程と、浄水場の浄水池や配水池に、トルマリン玉石加工を施した石を設置する石設置工程を用いて、窯土類の岩石や粒度粉粒を投入あるいは設置するだけで原水を浄化処理することができるので、過大なコストをかけることなく効率よく清澄化することができる。【００１０】  （４）前記（１）によって、特別な加工をする必要はなく、従来の浄水場の設備やシステムに容易に用いたり備え付けることができ、設備コストを効率よく抑えることができる。【００１１】  （５）請求項２〜５も前記（１）〜（４）と同様な効果が得られる。
【発明を実施するための最良の形態】
【００１２】  以下、図面に示す本発明を実施するための最良の形態により、本発明を詳細に説明する。
図１ないし図６に示す本発明を実施するための最良の第１の形態において、１は本発明の河川、汚濁水等の原水を清澄化する浄水場２等の水質浄化方法で、この浄水場２等の水質浄化方法１は、前記浄水場２等の水質浄化方法１において、浄水場２への取水用の貯水池やダム３等の水中あるいは水面に、好ましくは４〜１４ミクロンの遠赤外線放射物質であってマイナスイオンを含むトルマリン鉱石、花崗岩、滑石等の窯土類の岩石４をネットや袋等に適宜に入れ、投入あるいは浮遊状態に設置する取水前浄化工程５と、貯水池やダム３等の水を浄水場２に取水する取水口に、コンクリートやモルタル等にマイナスイオンおよび遠赤効果のあるトルマリン鉱石、花崗岩、滑石等の砕石や粉末４Ａ等を混合成形した堰６を設置する堰浄化工程７と、貯水池やダム３等の水を浄水場２に取水する着水井８に、トルマリン鉱石、花崗岩、滑石等の窯土類の岩石４をネットや袋等に適宜に入れ、投入あるいは浮遊状態に設置する着水井浄化工程９と、浄水場２のろ過池１０のろ過層１１に、トルマリンの粒度粉粒４Ａを混合させてろ過するろ過工程１２と、浄水場２の浄水池１３や配水池１４に、トルマリン玉石加工を施した石４Ｂを設置する石設置工程１５とで構成されている。【００１３】  前記浄水場２等の水質浄化方法１を簡略的に説明すると、浄水場取水前の貯水池やダム３にトルマリン原石、花崗岩、滑石等の窯土類のマイナスイオン、遠赤外線放射物質の各種岩石４を投入し、この投入によって浄化された原水をさらに浄化させるために、浄水場２の取水口にトルマリン鉱石等のマイナスイオン、遠赤外線のさらに強い細粉石、粉粒、粉末４Ａを混合成形したコンクリート、モルタル等の堰６を設け、原水を浄化する。さらに浄水場２内のろ過地１０、浄水池１３、配水池１４にもマイナスイオン、遠赤効果の強いトルマリン鉱石等の砂粒度のトルマリン粉粒４Ａやトルマリン玉石を加工したトルマリン石４Ｂを投入する。【００１４】  したがって、上記構成の浄水場２等の水質浄化方法１は、貯水池やダム３には原石４をそのまま投入し、取水口にはトルマリン等の細粉石、細粉粒、粉末４Ａ等をコンクリートやモルタルに混合成形した堰６を構築する。そして、浄水場２内の各池には、ろ過池１０には砂の層にトルマリン砂粒度粉粒４Ａ、浄水池１３および配水池１４には玉石加工石４Ｂを投入するだけでよく、効率的な水質浄化方法である。
また、本発明の実施の形態では、特別な加工をすることなく、従来の浄水場の設備やシステムに容易に用いたり備え付けたりすることができ、設備コストを効率よく抑えることができる。【００１５】  なお、浄水場の各池、パイプ、槽等には、状況に応じて、遠赤外線放射物質であってマイナスイオンを含むトルマリン鉱石、花崗岩、滑石等の窯土類の岩石４、マイナスイオンおよび遠赤効果のあるトルマリン鉱石、花崗岩、滑石等の砕石や粉末４Ａ、トルマリン玉石加工を施した石４Ｂを適宜に選択的に設けてもよい。
また、本発明の水質浄化方法を、例えば、下水処理場の浄水システムに応用して用いても同様の効果を得ることができる。【００１６】  次に、本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００１７】  本発明を実施するための第２の形態において、前記本発明を実施するための最良の第１の形態と主に異なる点は、前記取水前浄化工程５、堰浄化工程７、着水井浄化工程９、ろ過工程１２、石浄化工程１５を浄水場の設計や構造に応じて選択的に備えた点で、このように構成した浄水場等の処理方法１Ａにしても、前記本発明を実施するための最良の第１の形態と同様な作用効果が得られる。【００１８】  以上、本発明の実施の形態を詳細に説明したが、本発明は、その精神または主要な特徴から逸脱することなく、他の色々な形で実施することができる。そのため、前述の実施例はあらゆる点で単なる例示にすぎず、限定的に解釈してはならない。本発明の範囲は、特許請求の範囲によって示すものであって、明細書本文には何ら拘束されない。さらに特許請求の範囲の均等範囲に属する変形や変更は、全て本発明の範囲のものである。
【産業上の利用可能性】
【００１９】  本発明は浄水場等の処理方法を、使用、利用等をする産業で利用される。
【図面の簡単な説明】
【００２０】
【図１】本発明を実施するための最良の第１の形態の概略図。
【図２】本発明を実施するための最良の第１の形態の工程図。
【図３】本発明を実施するための最良の第１の形態の取水前浄化工程の概略図。
【図４】本発明を実施するための最良の第１の形態の堰浄化工程の概略図。
【図５】本発明を実施するための最良の第１の形態の着水井浄化工程の概略図。
【図６】本発明を実施するための最良の第１の形態のろ過工程の概略図。
【図７】本発明を実施するための最良の第１の形態の石浄化工程の概略図。
【符号の説明】
【００２１】１、１Ａ：水質浄化方法、            ２：浄水場、
３：貯水池やダム等、                ４：窯土類の岩石、
４Ａ：砕石や粉末、                  ４Ｂ：加工石、
５：取水前浄化工程、                ６：堰、
７：堰浄化工程、                    ８：着水井、
９：着水井浄化工程、                １０：ろ過池、
１１：ろ過層、                      １２：ろ過工程、
１３：浄水池、                      １４：配水池、
１５：石設置工程。
【図１】
2009045607.tif 000003
【図２】
2009045607.tif 000004
【図３】
2009045607.tif 000005
【図４】
2009045607.tif 000006
【図５】
2009045607.tif 000007
【図６】
2009045607.tif 000008
【図７】
2009045607.tif 000009